(57)【要約】無線通信のための方法であって、領域内の第１の複数のスレーブトランシーバを位置付けることと、第１の複数のスレーブトランシーバの位置から空間的に離れている位置にある領域内に、第２の複数のスレーブトランシーバを位置付けることとが含まれている方法。この方法には、第１の複数のスレーブトランシーバと第２の複数のスレーブトランシーバとにおいて、領域内の移動トランシーバによって生成された逆方向無線周波数（ｒａｄｉｏ ｆｒｅｑｕｅｎｃｙ， ＲＦ）信号を受信することと、それに応答して第１および第２のスレーブ信号を生成することとがさらに含まれている。この方法には、第１および第２のスレーブ信号を、領域外の基地局トランシーバ（ｂａｓｅ ｔｒａｎｓｃｅｉｖｅｒ ｓｔａｔｉｏｎ， ＢＴＳ）へ別々に伝達することと、ＢＴＳへ伝達された第１および第２のスレーブ信号を処理して、領域内で生成された逆方向ＲＦ信号内に含まれている情報を回復することがさらに含まれている。【選択図】図１
2004521523.tif 000002
【特許請求の範囲】
【請求項１】
無線通信のための方法であって、
第１の複数のスレーブトランシーバを領域内に位置付けることと、
第１の複数のスレーブトランシーバの位置から空間的に離れている位置にある領域内に、第２の複数のスレーブトランシーバを位置付けることと、
第１の複数のスレーブトランシーバと第２の複数のスレーブトランシーバとにおいて、領域内の移動トランシーバによって生成された逆方向無線周波数（ｒａｄｉｏ ｆｒｅｑｕｅｎｃｙ， ＲＦ）信号を受信し、それに応答して、第１および第２のスレーブ信号をそれぞれ生成することと、
第１および第２のスレーブ信号を、領域外の基地局トランシーバ（ｂａｓｅ ｔｒａｎｓｃｅｉｖｅｒ ｓｔａｔｉｏｎ， ＢＴＳ）へそれぞれ伝達することと、
基地局トランシーバへ伝達された第１および第２のスレーブ信号を処理して、領域内で生成された逆方向無線周波数信号内に含まれている情報を回復することとが含まれている方法。
【請求項２】
領域では、通常、基地局トランシーバから空中で伝送された信号を受信することができない請求項１記載の方法。
【請求項３】
第１および第２のスレーブ信号を基地局トランシーバへそれぞれ伝達することには、信号を直交偏向することが含まれる請求項１記載の方法。
【請求項４】
第１の複数のスレーブトランシーバと第２の複数のスレーブトランシーバとにおいて、移動トランシーバによって生成された逆方向無線周波数信号を受信して、第１および第２のスレーブ信号をそれぞれ生成することには、逆方向無線周波数信号をダウンコンバートして、第１および第２の中間周波数（ｉｎｔｅｒｍｅｄｉａｔｅ ｆｒｅｑｕｅｎｃｙ， ＩＦ）信号をそれぞれ生成することが含まれ、第１および第２のスレーブ信号を基地局トランシーバへそれぞれ伝達することには、マスターユニットにおいてそれぞれの中間周波数信号をアップコンバートして、第１および第２のスレーブ信号を回復することが含まれる請求項１記載の方法。
【請求項５】
順方向の無線周波数信号を基地局トランシーバからマスターユニットへ伝達することと、
順方向の無線周波数信号を順方向の中間周波数信号へダウンコンバートすることと、
順方向の中間周波数信号を第１および第２の中間周波数信号へ分割することと、
第２の中間周波数信号を遅延させることと、
第１の中間周波数信号と遅延させた第２の中間周波数信号とを、第１および第２の複数のスレーブトランシーバへそれぞれ伝達することと、
第１の中間周波数信号と遅延させた第２の中間周波数信号とを処理して、順方向の無線周波数信号と遅延させた順方向の無線周波数信号とをそれぞれ回復することと、
順方向の無線周波数信号と遅延させた順方向の無線周波数信号とを移動トランシーバへ送ることとが含まれる請求項１記載の方法。
【請求項６】
無線通信のための装置であって、
第１の複数のスレーブトランシーバと第２の複数のスレーブトランシーバとであって、領域内で空間的に互いに離れていて、また領域内の移動トランシーバによって生成された無線周波数信号を受信し、かつ無線周波数信号に応答して第１および第２のスレーブ信号をそれぞれ生成するように適応させた、第１の複数のスレーブトランシーバと第２の複数のスレーブトランシーバと、
第１のスレーブ信号を第１の複数のスレーブトランシーバから受信して処理して、処理された第１の信号を基地局トランシーバへ伝達する第１のマスターユニットと、
第２の複数のスレーブトランシーバから第２のスレーブ信号を受信して処理して、処理された第１の信号とは別々に、処理された第２のスレーブ信号を基地局トランシーバへ伝達して、基地局トランシーバが受信した第１および第２の処理された信号を処理することによって、無線周波数信号内に含まれている情報を回復する第２のマスターユニットとが含まれている装置。
【請求項７】
領域では、通常は、基地局トランシーバから空中で送られる信号を受信できない請求項６記載の装置。
【請求項８】
第１および第２のマスターユニットへ接続された偏向アンテナであって、処理された第１の信号と処理された第２の信号とを基地局トランシーバへ直交偏向信号として別々に伝達する偏向アンテナを含む請求項６記載の装置。
【請求項９】
第１および第２の複数のトランシーバには第１および第２のダウンコンバータがそれぞれ含まれていて、第１および第２のダウンコンバータは、第１および第２のスレーブ信号を第１および第２の中間周波数信号としてそれぞれ生成し、第１のマスターユニットには第１のアップコンバータが含まれていて、第１のアップコンバータは、処理された第１の信号を第１の中間周波数信号から回復し、第２のマスターユニットには第２のアップコンバータが含まれていて、第２のアップコンバータは、処理された第２の信号を第２の中間周波数信号から回復する請求項６記載の装置。
【請求項１０】
第１のマスターユニットには、
基地局トランシーバから受信した順方向の無線周波数信号を順方向の中間周波数信号へ変換するダウンコンバータと、
順方向の中間周波数信号を第１および第２の順方向の中間周波数信号へ分割するスプリッタとが含まれていて、
第２のマスターユニットには、第２の順方向の中間周波数信号を遅延させる遅延ユニットが含まれていて、
第１の複数のスレーブトランシーバには、複数のアップコンバータがそれぞれ含まれていて、アップコンバータは、第１の順方向の中間周波数信号から順方向の無線周波数信号を回復し、かつ順方向の無線周波数信号を移動トランシーバへ送り、
第２の複数のスレーブトランシーバには、複数のアップコンバータがそれぞれ含まれていて、アップコンバータは、遅延させた第２の順方向の中間周波数信号から遅延させた順方向の無線周波数信号を回復し、かつ遅延させた順方向の無線周波数信号を移動トランシーバへ送る請求項６記載の装置。
【発明の詳細な説明】
【０００１】
発明の分野
本発明は、概ね、通信ネットワークに関し、とくに、閉鎖空間内で動作し、閉鎖空間外から発信されたセルラ信号を遮断するセルラ通信ネットワークに関する。
【０００２】
発明の背景
セルラ通信システムには、通常、例えば金属枠構造内または地下といった、受信可能範囲（ｃｏｖｅｒａｇｅ）が分かり難いか、または不完全な領域がある。このような領域内の受信可能範囲を向上するための方法は、この技術において知られている。
【０００３】
Ｃｈａｒａｓ、他の米国特許第５，４０４，５７０号には、信号を受信できる基地局トランシーバ（ｂａｓｅ ｔｒａｎｓｃｅｉｖｅｒ ｓｔａｔｉｏｎ， ＢＴＳ）と、ＢＴＳからの送信に対して遮断されているトンネルのような閉鎖環境との間で使用される中継器システムが記載されており、この開示は参考文献として本明細書に取り上げられている。中継器システムは、ＢＴＳからの高無線周波数（ｒａｄｉｏ−ｆｒｅｑｕｅｎｃｙ， ＲＦ）信号を、中間周波数（ｉｎｔｅｒｍｅｄｉａｔｅ ｆｒｅｑｕｅｎｃｙ， ＩＦ）信号へダウンコンバートし、ＩＦ周波数信号を、閉鎖環境内のケーブルおよびアンテナによって、閉鎖環境内の受信機へ放射する。受信機はＩＦ信号を元のＲＦ信号へアップコンバートする。この開示に記載されているシステムには、トンネル内を移動する車両が含まれ、車両内の乗客は、信号を受信できるが、（このシステムがなければ）ＢＴＳから遮断されたであろう。
【０００４】
Ｋａｌｌａｎｄａｒ、他の米国特許第５，６０３，０８０号には、複数のＢＴＳと、ＢＴＳからの送信に対して遮断されている閉鎖環境との間で使用される複数の中継器システムが記載されており、この開示は参考文献として本明細書に取り上げられている。各システムは、各ＢＴＳからのＲＦ信号をＩＦ信号へダウンコンバートし、ＩＦ信号は、閉鎖環境内のケーブルによって、閉鎖環境内の各受信機へ転送される。各受信機は、ＩＦ信号を元のＲＦ信号へアップコンバートする。この開示に記載されている中継器システムには、トンネル内でオーバーラップしている領域であって、各々がＢＴＳの１つによって中継器システムを介してカバーされている領域間を移動する車両が含まれる。したがって、車両内の乗客は、トンネル全体でＢＴＳの少なくとも１つから信号を受信できるが、（このシステムがなければ）ＢＴＳから遮断されていたであろう。
【０００５】
Ｄｅａｎ、他の米国特許第５，５１３，１７６号には、受信が困難な領域内における分散形アンテナアレイが記載されており、この開示は参考文献として本明細書に取り上げられている。アンテナアレイの機能は、アレイ内で信号のダイバーシティを生成することによって向上する。アレイ内の各アンテナは、受信した信号に異なる時間遅延を加えて、受信信号のダイバーシティを生成する。格差を付けて遅延させた信号は中間周波数へダウンコンバートされて、ケーブルを介して領域外へ転送される。
【０００６】
Ｌｉｇｈｔ、他の米国特許第５，９３０，２９３号には、第１および第２のアンテナが空間的に離されて構成されている無線中継器が記載されており、この開示は参考文献として本明細書に取り上げられている。第１および第２のアンテナは送信機から信号を受信し、第２のアンテナは、元の信号に時間遅延を加えた信号を受信する。２つの信号は加算されて、１つの集合信号（ａｇｇｒｅｇａｔｅ ｓｉｇｎａｌ）を形成して、第３のアンテナから送信される。集合信号の受信機は、第１および第２のアンテナが受信した信号を再構成することができる。
【０００７】
発明の概要
本発明の態様の目的は、セルラ伝送ネットワークにおいて信号／ノイズ比を向上するための方法および装置を提供することである。
【０００８】
本発明の態様の別の目的は、ネットワークの負荷容量を向上するための方法および装置を提供することである。
【０００９】
本発明の好ましい実施形態では、セルラ式静止トランシーバのグループ（ここではスレーブユニットと呼ばれる）が、基地局トランシーバ（ＢＴＳ）が適切に働くことができない領域内に分散している。スレーブユニットは、ＢＴＳからの信号の第１中継器として働く。通常は、この領域は建造物（ｂｕｉｌｄｉｎｇ）内か、または開放領域、すなわち基地局からの距離のため、あるいはＢＴＳとその領域との間の構造物による放射の陰（ｒａｄｉａｔｉｏｎ ｓｈａｄｏｗ）のために、ＢＴＳからの信号の受信が劣悪な領域である。スレーブユニットは、領域内で無線周波数（ＲＦ）信号を介して、セルラ式移動電話のような移動トランシーバと通信する。スレーブユニットのグループは、第１および第２のサブグループへ分割され、各サブグループにほぼ同数の静止トランシーバが含まれている。
【００１０】
第１のサブグループのスレーブユニットは、第２のサブグループのスレーブユニットから空間的に離れている。移動トランシーバから送信された信号において、第１のサブグループによって受信される信号と第２のサブグループによって受信される信号とを区別できるように、少なくとも十分に空間的に離れていることが最も好ましい。信号は、通常は、振幅、位相、到達時間、またはこれらの組み合わせ、あるいは他の信号パラメータに関して区別できる。したがって、複数のサブグループの一方のスレーブユニットは、メインの受信機として働いている他方のサブグループのスレーブユニットに対して、ダイバーシティの受信機として機能することができる。
【００１１】
移動トランシーバから各サブグループのスレーブユニットによって受信されるＲＦ信号は、ここでは逆方向信号と呼ばれ、中間周波数（ＩＦ）信号へダウンコンバートされる。次にＩＦ信号は、この領域から、ケーブルによって、第２の中継器として働いているマスターユニットへ転送される。メインのサブグループのスレーブユニットからのＩＦ信号は、マスターユニットのメインのマスターのサブユニットへ転送され、このサブユニットはＩＦ信号をメインの逆方向ＲＦ信号へアップコンバートする。同様に、ダイバーシティのサブグループのスレーブユニットからのＩＦ信号は、マスターユニットに含まれるダイバーシティのマスターのサブユニットへ転送され、ＩＦ信号をダイバーシティの逆方向ＲＦ信号へアップコンバートする。メインの逆方向ＲＦ信号およびダイバーシティの逆方向ＲＦ信号は、ケーブルによって、または空中で、あるいはこの両者で、別々にＢＴＳへ送られ、ＢＴＳでは個々の逆方向ＲＦ信号内に含まれている情報を復調し、回復し、解析する。回復されたＲＦ信号を、別々のメインの逆方向信号およびダイバーシティの逆方向信号として維持するやり方は、ＢＴＳにおける解析前に２つのタイプの信号を合成するシステムと比べて、信号／雑音比を３デシベルまで上げ、逆方向の負荷容量を向上する。
【００１２】
本発明の好ましい実施形態では、ＢＴＳからの順方向のＲＦ信号は、メインのマスターのサブユニットによって受信され、その中でＩＦ信号へダウンコンバートされる。ＩＦ信号は、第１および第２のサブグループのスレーブユニットへ転送され、サブグループの１つへ転送されたＩＦ信号には遅延が加えられる。ＩＦ信号は、スレーブユニット内の順方向のＲＦ信号へアップコンバートされて、ＲＦ信号は、遅延させた順方向のＲＦ信号と遅延させていない順方向のＲＦ信号とから成り、スレーブユニットから放射される。移動トランシーバは両方の信号を受信する。信号の１つには時間遅延が加えられているので、移動トランシーバは両方の信号を、第１の信号に含まれている情報と第２の遅延信号に含まれている情報とから成る複合信号として受信する。情報は移動トランシーバ内で復調および回復され、２つの信号を使用して、元の順方向のＲＦ信号内で伝達された情報の最適な表現を再生することが最も好ましい。
【００１３】
本発明の好ましい実施形態にしたがって、無線通信のための方法であって、
第１の複数のスレーブトランシーバを領域内に位置付けることと、
第１の複数のスレーブトランシーバの位置から空間的に離れた位置にある領域内に、第２の複数のスレーブトランシーバを位置付けることと、
第１の複数のスレーブトランシーバと第２の複数のスレーブトランシーバとにおいて、領域内の移動トランシーバによって生成された逆方向無線周波数（ＲＦ）信号を受信することと、
第１および第２のスレーブ信号を、領域外の基地局トランシーバ（ＢＴＳ）へ別々に伝達することと、
ＢＴＳへ伝達された第１および第２のスレーブ信号を処理して、領域内で生成された逆方向ＲＦ信号内に含まれている情報を回復することとを含む方法を提供する。
【００１４】
領域は、通常は、ＢＴＳから空中で送られる信号を受信できないことが好ましい。
【００１５】
第１および第２のスレーブ信号をＢＴＳへ別々に伝達することには、信号を直交偏向することが含まれることが好ましい。
【００１６】
第１の複数のスレーブトランシーバと第２の複数のスレーブトランシーバとにおいて、移動トランシーバによって生成された逆方向ＲＦ信号を受信して、第１および第２のスレーブ信号をそれぞれ生成することには、逆方向ＲＦ信号をダウンコンバートして、第１および第２の中間周波数（ＩＦ）信号をそれぞれ生成することが含まれ、第１および第２のスレーブ信号をＢＴＳへそれぞれ伝達することには、マスターユニット内のそれぞれのＩＦ信号をアップコンバートして、第１および第２のスレーブ信号を回復することが含まれる。
【００１７】
この方法には、
ＢＴＳからマスターユニットへ順方向のＲＦ信号を伝達することと、
順方向のＲＦ信号を順方向のＩＦ信号へダウンコンバートすることと、
順方向のＩＦ信号を第１および第２のＩＦ信号へ分割することと、
第２のＩＦ信号を遅延させることと、
第１のＩＦ信号と遅延させた第２のＩＦ信号とを、第１および第２の複数のスレーブトランシーバへそれぞれ伝達することと、
第１のＩＦ信号と遅延させた第２のＩＦ信号とを処理して、順方向のＲＦ信号と遅延させた順方向のＲＦ信号とをそれぞれ回復することと、
順方向のＲＦ信号と遅延させた順方向のＲＦ信号とを移動トランシーバへ送信することとが含まれることが好ましい。
【００１８】
本発明の好ましい実施形態にしたがって、無線通信のための装置であって、
第１の複数のスレーブトランシーバおよび第２の複数のスレーブトランシーバであって、領域内で互いに空間的に離れていて、また領域内の移動トランシーバによって生成された無線周波数（ＲＦ）信号を受信し、かつＲＦ信号に応答して第１および第２のスレーブ信号をそれぞれ生成するように適合させた、第１の複数のスレーブトランシーバおよび第２の複数のスレーブトランシーバと、
第１の複数のスレーブトランシーバから第１のスレーブ信号を受信して処理し、処理された第１の信号をＢＴＳへ伝達する第１のマスターユニットと、
第２の複数のスレーブトランシーバから第２のスレーブ信号を受信して処理し、処理された第１の信号とは別々に、処理された第２の信号をＢＴＳへ伝達して、ＢＴＳが受信した第１および第２の処置された信号を処理することによって、ＲＦ信号内に含まれている情報を回復する第２のマスターユニットとを含む装置をさらに提供する。
【００１９】
この領域では、通常は、ＢＴＳから空中で送られる信号を受信できないことが好ましい。
【００２０】
装置には偏向アンテナが含まれていて、偏向アンテナは第１および第２のマスターユニットに接続されていて、処理された第１の信号と処理された第２の信号とをＢＴＳへ直交偏向信号として別々に伝達することが好ましい。
【００２１】
第１および第２の複数のトランシーバには第１および第２のダウンコンバータがそれぞれ含まれていて、第１および第２のダウンコンバータは、第１および第２のスレーブ信号を第１および第２の中間周波数（ＩＦ）信号としてそれぞれ生成し、第１のマスターユニットには第１のアップコンバータが含まれていて、第１のアップコンバータは、処理された第１の信号を第１のＩＦ信号から回復し、第２のマスターユニットには第２のアップコンバータが含まれていて、第２のアップコンバータは、処理された第２の信号を第２のＩＦ信号から回復することが好ましい。
【００２２】
第１のマスターユニットには、
ＢＴＳから受信した順方向のＲＦ信号を順方向のＩＦ信号へ変換するダウンコンバータと、
順方向のＩＦ信号を第１および第２の順方向のＩＦ信号へ分割するスプリッタとが含まれていて、
第２のマスターユニットには、第２の順方向のＩＦ信号を遅延させる遅延ユニットが含まれていて、
第１の複数のスレーブトランシーバには、複数のアップコンバータがそれぞれ含まれていて、アップコンバータは、第１の順方向のＩＦ信号から順方向のＲＦ信号を回復し、かつ順方向のＲＦ信号を移動トランシーバへ送り、
第２の複数のスレーブトランシーバには、複数のアップコンバータがそれぞれ含まれていて、アップコンバータは、遅延させた順方向のＲＦ信号を遅延させた第２の順方向のＩＦ信号から回復し、かつ遅延させた順方向のＲＦ信号を移動トランシーバへ送ることが好ましい。
【００２３】
本発明は、本発明の好ましい実施形態についての、図面と共に取入れられた詳細な記述から、より十分に理解されるであろう。
【００２４】
好ましい実施形態の詳細な説明
ここで図１を参照すると、本発明の好ましい実施形態にしたがう領域網羅システム（ａｒｅａ ｃｏｖｅｒａｇｅ ｓｙｓｔｅｍ）１０を示す模式的なブロック図が示されている。建造物１４は、建造物外にある基地局トランシーバ（ＢＴＳ）４２からの電磁放射が実質的に遮断されている。建造物内の移動トランシーバ１６、例えば業界規格の移動電話は、ＢＴＳ４２によって受信可能なタイプの無線周波数（ＲＦ）信号を放出する。移動トランシーバ１６によって放射されたＲＦ信号は、ここでは逆方向ＲＦ送信信号とも呼ばれ、業界規格のチップレートで動作する符号分割多重アクセス（ｃｏｄｅ ｄｉｖｉｓｉｏｎ ｍｕｌｔｉｐｌｅ ａｃｃｅｓｓ， ＣＤＭＡ）信号であるが、本発明の原理は他の符号化および伝送方式にも応用可能である。
【００２５】
第１のサブグループのスレーブトランシーバ１２は、ここではメインのスレーブトランシーバとも呼ばれ、第２のサブグループのスレーブトランシーバ１１は、ここではダイバーシティのスレーブトランシーバとも呼ばれ、（スレーブトランシーバ１１、１２は）建造物１４内に位置している。メインのスレーブトランシーバ１２は、アクティブなスプリッタ／コンバイナ２０によって星形構成で接続されることが最も好ましい。その代わりに、スレーブトランシーバ１２は、デイジーチェーンまたは星形−デイジーチェーンのハイブリッド構成で接続されることもある。同様に、ダイバーシティのスレーブトランシーバ１１は、アクティブなスプリッタ／コンバイナ１８によって星形構成で接続されることが最も好ましい。その代わりに、スレーブトランシーバ１１は、デイジーチェーンまたは星形−デイジーチェーンのハイブリッド構成で接続されることもある。
【００２６】
スレーブトランシーバ１１は、スレーブトランシーバ１２から空間的に離れているが、他の点では、全てのスレーブトランシーバは構成および動作において実質的に類似している。適切なスレーブトランシーバの動作および構成の詳細な記述は、１９９９年１０月２９日に出願された米国特許出願（“Ｉｎ−Ｂｕｉｌｄｉｎｇ Ｒａｄｉｏ Ｆｒｅｑｕｅｎｃｙ Ｃｏｖｅｒａｇｅ”）に与えられていて、これは本出願の譲受人に譲渡され、この開示は本明細書では参考文献として取上げられている（参照番号３４９９７号）。空間的に十分に離れているので、トランシーバ１６が送信するとき、受信信号は、例えば、振幅、位相、到達時間、またはその組み合わせ、あるいは他の信号パラメータにおいて異なっており、サブグループのスレーブトランシーバ１１によって受信された逆方向ＲＦ信号は、サブグループのスレーブトランシーバ１２によって受信された逆方向ＲＦ信号と区別できる。したがって、メインのスレーブトランシーバ１２は移動トランシーバ１６からＲＦ信号をメインの逆方向ＲＦ信号として受信し、ダイバーシティのスレーブトランシーバ１１はトランシーバ１６からＲＦ信号をダイバーシティの逆方向ＲＦ信号として受信する。
【００２７】
スレーブトランシーバ１１および１２は、この技術において知られているように、受信したＲＦ信号を局部発振器信号と混合して、受信したＲＦ信号を中間周波数（ＩＦ）信号へダウンコンバートすることによって動作する。メインのスレーブトランシーバ１２からのＩＦ信号は、建造物１４から、スプリッタ／コンバイナ２０およびケーブル４６を介して、マスターユニット４４に含まれているメインのマスターのサブユニット２４へ送られる。メインのマスターのサブユニット２４にはＩＦ送受切換え器３２が含まれていて、ＩＦ送受切換え器３２はメインのＩＦ信号を、メインのマスターのサブユニット内のアップコンバータ３４へ転送する。メインのアップコンバータ３４において、ＩＦ信号は、メインのマスターのサブユニット２４内に含まれているのが最も好ましい局部発振器（ｌｏｃａｌ ｏｓｃｉｌｌａｔｏｒ， ＬＯ）３６によって生成される局部発振器信号と混合され、メインのスレーブトランシーバ１２が受信したメインの逆方向ＲＦ信号を回復する。回復されたメインの逆方向ＲＦ信号は、好ましくはケーブル接続４８を介して、ＢＴＳ４２へ送られる。その代わりに、回復されたメインの逆方向ＲＦ信号は、無線接続を介してＢＴＳ４２へ送られることもある。既に記載したように、送られたＲＦ信号をダウンコンバートおよびアップコンバートするための方法は、この技術において知られており、１つのこのような方法の詳細な記述は、上述の米国特許出願にも与えられている。スレーブトランシーバ１１、１２とマスターユニット４４とは、建造物からＢＴＳへ信号を転送するために、接続された第１の中継器および第２の中継器として働くことが分かるであろう。
【００２８】
ダイバーシティのスレーブトランシーバ１１からのＩＦ信号はダイバーシティのＩＦ信号として、建造物１４から、スプリッタ／コンバイナ１８およびケーブル４９を介して、マスターユニット４４内に含まれているダイバーシティのマスターのサブユニット２２へ送られる。ダイバーシティのマスターのサブユニット２２にはＩＦの送受切換え器２６が含まれていて、ＩＦ−送受切換え器２６はダイバーシティのＩＦ信号を、ダイバーシティのマスターのサブユニット内に含まれているアップコンバータ３０へ転送する。アップコンバータ３０では、ダイバーシティのＩＦ信号は、ＬＯ３６によって生成された局部発振器信号と混合されて、ダイバーシティのスレーブトランシーバ１１が受信したダイバーシティの逆方向ＲＦ信号を回復することが最も好ましい。回復されたダイバーシティの逆方向ＲＦ信号は、好ましくはケーブル接続５２を介してＢＴＳ４２へ送られる。その代わりに、回復されたダイバーシティの逆方向ＲＦ信号は、無線接続を介して、ＢＴＳ４２へ送られることもある。ダイバーシティの逆方向ＲＦ信号は、メインの逆方向ＲＦ信号からＢＴＳ４２へ別々に送られ、２つの逆方向ＲＦ信号を合成することによって信号／雑音は劣化せず、ネットワークの逆方向負荷容量は向上することが分かるであろう。
【００２９】
メインのマスターのサブユニット２４にはダウンコンバータ３８も含まれており、ダウンコンバータ３８はＢＴＳ４２から順方向のＲＦ信号を受信する。順方向のＲＦ信号は、ケーブル接続５０によってＢＴＳ４２からダウンコンバータ３８へ転送されることが好ましい。その代わりに、順方向のＲＦ信号は、無線接続によってＢＴＳからダウンコンバータ３８へ転送されることもある。ダウンコンバータ３８は、ＬＯ３６からのＬＯ信号を使用して、順方向のＩＦ信号を生成することが最も好ましい。順方向のＩＦ信号はスプリッタ４０へ転送され、スプリッタ４０は、順方向のＩＦ信号を、第１および第２の実質的に類似した順方向のＩＦ信号へ分割する。第１の順方向のＩＦ信号は送受切換え器を３２およびスプリッタ／コンバイナ２０を介してトランシーバ１２へ転送され、ＢＴＳの順方向のＲＦ信号はアップコンバートすることによって回復される。
【００３０】
第２の順方向のＩＦ信号は、ケーブル４１を介して送受切換え器２６へ転送される。ケーブル４１の途中には遅延ユニット２８があり、遅延ユニット２８は遅延発生器として働く表面弾性波フィルタから形成されていることが最も好ましい。その代わりに、遅延ユニット２８は標準の遅延ユニットから構成されていて、スプリッタ４０から送られた順方向のＩＦ信号に時間遅延を加えることができるものであってもよい。遅延ユニット２８によって加えられる遅延は、トランシーバ１６によって送られた変調されたＲＦ信号のチップ期間の少なくとも２倍のオーダをもつことが最も好ましい。遅延させた順方向のＩＦ信号は、送受切換え器２６およびスプリッタ／コンバイナ１８を介して、ダイバーシティのスレーブトランシーバ１１へ転送され、遅延させた順方向のＲＦ信号はアップコンバートすることによって回復される。
【００３１】
移動トランシーバ１６は、トランシーバ１２から送られた回復された順方向のＲＦ信号と、トランシーバ１１から送られた回復された遅延させた順方向のＲＦ信号との両者を受信する。この技術において知られている方法を使用して、順方向のＲＦ信号および遅延させた順方向のＲＦ信号を利用して、ＢＴＳ４２から送られた最適な順方向のＲＦ信号が求められる。例えば、ＲＦ信号がＣＤＭＡのパイロットのＲＦ信号であって、移動トランシーバを追跡するためにＢＴＳによって生成された信号であるとき、移動トランシーバ１６は、トランシーバに含まれているサーチャを使用して強力なマルチパスの到達を識別することによって、パイロット信号を復調して回復することができる。その代わりに、最適な信号はＣＤＭＡ以外のシステムによっても回復することができ、このＣＤＭＡ以外のシステムは、上述の大きさの遅延を許容できるか、または適切に遅延させることができるか、あるいはこの両者を行なうことができるものである。例えば、ＧＳＭシステムでは、８μｓのオーダの遅延が必要である。
【００３２】
図３は、本発明の好ましい実施形態にしたがって、ＢＴＳ４２とマスターユニット４４との間で信号を伝達するための装置を示す模式的なブロック図である。送受切換え器１５４はケーブル接続４８および５０に接続されて、順方向のＲＦ信号およびメインの逆方向ＲＦ信号とは多重化される。多重化されたＲＦ信号は、偏向アンテナ１５６の第１の偏向ポートへ入力される。第２の偏向ポートは、第１のポートと直交しており、ダイバーシティのＲＦ信号を入力する。したがって、アンテナ１５６は、多重化された逆方向ＲＦ信号とダイバーシティの逆方向ＲＦ信号を、実質的に別々の信号として転送することができる。偏向アンテナ１６０の動作は、アンテナ１５６の動作にほほ類似しており、偏向アンテナ１６０がＢＴＳ４２へ接続されると、ＢＴＳ４２は順方向のＲＦ信号をマスターユニット４４へ送ることができ、さらに加えて、別々のメインの逆方向ＲＦ信号とダイバーシティの逆方向ＲＦ信号を受信することもできる。
【００３３】
本発明の技術的範囲には、電磁放射に対して遮断されている建造物以外の領域が含まれることが分かるであろう。このような領域には、基地局から離れているために基地局トランシーバの範囲外にある地域、または例えば、地域の地形（ｔｏｐｏｇｒａｐｈｙ）ために、あるいは地域と基地局との間に介在している建造物のような構造のために、放射の陰となる地域が含まれる。
【００３４】
したがって、上述の好ましい実施形態は例示的に引用されたものであり、本発明は、上述でとくに示され、記載されたものに制限されないことが分かるであろう。むしろ、本発明の技術的範囲には、上述の種々の特徴の組合せおよび副次的な組合わせの両者、並びに当業者が本明細書を読んだときに思い付くこと、および従来技術に記載されていないことについての変形および変更が含まれる。
【図面の簡単な説明】
【図１】
本発明の好ましい実施形態にしたがう領域網羅システム（ａｒｅａ ｃｏｖｅｒａｇｅ ｓｙｓｔｅｍ）の模式的なブロック図。
【図２】
本発明の好ましい実施形態にしたがって、図１のシステム内のスレーブユニット１１、１２を詳しく示した模式的なブロック図。
【図３】
本発明の好ましい実施形態にしたがって、図１のシステムに含まれていて、基地局トランシーバとマスターユニットとの間で信号を伝達するための装置を示す模式的なブロック図。
【図１】
2004521523.tif 000003
【図２】
2004521523.tif 000004
【図３】
2004521523.tif 000005
【国際公開パンフレット】
2004521523.tif 000006
2004521523.tif 000007
2004521523.tif 000008
2004521523.tif 000009
2004521523.tif 000010
2004521523.tif 000011
2004521523.tif 000012
2004521523.tif 000013
2004521523.tif 000014
2004521523.tif 000015
2004521523.tif 000016
2004521523.tif 000017
2004521523.tif 000018
2004521523.tif 000019
2004521523.tif 000020
2004521523.tif 000021
2004521523.tif 000022
2004521523.tif 000023
2004521523.tif 000024
2004521523.tif 000025
【国際公開パンフレット（コレクトバージョン）】
2004521523.tif 000026
【国際調査報告】
2004521523.tif 000027
2004521523.tif 000028
2004521523.tif 000029